(57)【要約】【課題】  この発明は、手差しトレイから給紙を行う場合に給紙不良が起こりにくくなる画像形成装置を提供することを目的とする。【解決手段】  記録紙を供給するための手差しトレイを備えている画像形成装置において、手差しトレイに設けられかつ手差しトレイを振動させるための振動デバイス、および手差しトレイから給紙を行って画像形成ジョブを行う場合において、画像形成ジョブの開始時に、振動デバイスを所定時間、駆動させることにより、手差しトレイを振動させる手段を備えている。【選択図】  図１
2006219259.tif 000002
【特許請求の範囲】
【請求項１】
記録紙を供給するための手差しトレイを備えている画像形成装置において、手差しトレイに設けられかつ手差しトレイを振動させるための振動デバイス、および手差しトレイから給紙を行って画像形成ジョブを行う場合において、画像形成ジョブの開始時に、振動デバイスを所定時間、駆動させることにより、手差しトレイを振動させる手段を備えていることを特徴とする画像形成装置。
【請求項２】
手差しトレイから給紙を行って画像形成ジョブを行う場合において、所定枚数分の給紙が行われる度に、振動デバイスを所定時間、駆動させることにより、手差しトレイを振動させる手段を備えていることを特徴とする請求項１に記載の画像形成装置。
【請求項３】
記録紙を供給するための手差しトレイを備えている画像形成装置において、手差しトレイを使用位置から内側端部を中心として手差しトレイをその外端が持ち上げられる方向に所定角度回転させた後に使用位置に戻すための手差しトレイ揺動機構、および手差しトレイから給紙を行って画像形成ジョブを行う場合において、画像形成ジョブの開始時に、手差しトレイ揺動機構を駆動制御することにより、手差しトレイを使用位置から内側端部を中心としてその外端が持ち上げられる方向に所定角度回転させた後に使用位置に戻す制御手段を備えていることを特徴とする画像形成装置。
【請求項４】
手差しトレイから給紙を行って画像形成ジョブを行う場合において、所定枚数分の給紙が行われる毎に、手差しトレイ揺動機構を駆動制御することにより、手差しトレイを使用位置から内側端部を中心としてその外端が持ち上げられる方向に所定角度回転させた後に使用位置に戻す手段を備えていることを特徴とする請求項３に記載の画像形成装置。
【発明の詳細な説明】
【技術分野】
【０００１】
この発明は、複写機等の画像形成装置に関する。
【背景技術】
【０００２】
複写機等の画像形成装置においては、一般的に、給紙カセットにセットした記録紙を給紙させることができるとともに、給紙カセットにセットされている記録紙のサイズ以外の記録紙を容易に給紙できるようにするために、手差しトレイにセットした記録紙を給紙させることができるようになっている。しかしながら、手差しトレイには、比較的少数の記録紙がセットされるため、手差しトレイから給紙を行う場合には給紙不良が発生しやすいという問題がある。
【特許文献１】特開平６−１００２１０号公報
【特許文献２】特開平１１−１１６１０４号公報
【発明の開示】
【発明が解決しようとする課題】
【０００３】
この発明は、手差しトレイから給紙を行う場合に給紙不良が起こりにくくなる画像形成装置を提供することを目的とする。
【課題を解決するための手段】
【０００４】
請求項１に記載の発明は、記録紙を供給するための手差しトレイを備えている画像形成装置において、手差しトレイに設けられかつ手差しトレイを振動させるための振動デバイス、および手差しトレイから給紙を行って画像形成ジョブを行う場合において、画像形成ジョブの開始時に、振動デバイスを所定時間、駆動させることにより、手差しトレイを振動させる手段を備えていることを特徴とする。
【０００５】
請求項２に記載の発明は、請求項１に記載の画像形成装置において、手差しトレイから給紙を行って画像形成ジョブを行う場合において、所定枚数分の給紙が行われる度に、振動デバイスを所定時間、駆動させることにより、手差しトレイを振動させる手段を備えていることを特徴とする。
【０００６】
請求項３に記載の発明は、記録紙を供給するための手差しトレイを備えている画像形成装置において、手差しトレイを使用位置から内側端部を中心として手差しトレイをその外端が持ち上げられる方向に所定角度回転させた後に使用位置に戻すための手差しトレイ揺動機構、および手差しトレイから給紙を行って画像形成ジョブを行う場合において、画像形成ジョブの開始時に、手差しトレイ揺動機構を駆動制御することにより、手差しトレイを使用位置から内側端部を中心としてその外端が持ち上げられる方向に所定角度回転させた後に使用位置に戻す制御手段を備えていることを特徴とする。
【０００７】
請求項４に記載の発明は、請求項３に記載の画像形成装置において、手差しトレイから給紙を行って画像形成ジョブを行う場合において、所定枚数分の給紙が行われる毎に、手差しトレイ揺動機構を駆動制御することにより、手差しトレイを使用位置から内側端部を中心としてその外端が持ち上げられる方向に所定角度回転させた後に使用位置に戻す手段を備えていることを特徴とする。
【発明の効果】
【０００８】
この発明は、手差しトレイから給紙を行う場合に給紙不良が起こりにくくなる画像形成装置を提供することを目的とする。
【発明を実施するための最良の形態】
【０００９】
以下、図面を参照して、この発明を複写機に適用した場合の実施例について説明する。
【実施例１】
【００１０】
図１は、複写機の機構を示している。
【００１１】
複写機本体１００の上面には、通常時において、複写すべき原稿（複写原稿）が載置されるコンタクトガラス１が設けられている。複写機の上面には、自動原稿搬送装置（ＡＤＦ）２００が設けられている。さらに、複写機の上面には、タッチパネル付表示器、スタートキー等の各種キーを備えた操作表示部（図示略）が設けられている。
【００１２】
複写機本体の下部には、３つの給紙カセット２、３、４が設けられている。複写機本体の右側面の中段には、手差しトレイ５が設けられている。複写機本体の左側面の中段には、排紙トレイ６が設けられている。
【００１３】
手差しトレイ５は、常時は、図１に実線で示すように、給紙を好適に行える位置（使用位置）に保持されている。この実施例では、給紙不良の発生を防止するために、手差しトレイ５の内側端のピン７を中心として、破線で示す位置まで反時計方向に回転させた後、元の位置（使用位置）まで時計方向に回転させるための駆動機構が設けられている。この駆動機構は、モータ３０２（図２参照）を含んでいる。この明細書においては、手差しトレイ５を元の位置から破線位置まで回転させてから元の位置まで回転させることを、”手差しトレイ５を揺動させる”ということにする。手差しトレイの下面には、給紙不良の発生を防止するために、手差しトレイ５を振動させるための振動デバイス３０４が取り付けられている。
【００１４】
複写機本体内の上部には、露光機構、プリント機構、記録紙搬送機構が設けられている。
【００１５】
露光機構（原稿読み取り装置）２０は、コンタクトガラス１上に載置された原稿の画像を走査するための露光ランプ２１および原稿からの反射光を反射する第１ミラー２２を備えた第１光学走行体３１、第１ミラー２２によって反射された光を集光レンズ２５に導くための第２および第３ミラー２３、２４を備えた第２光学走行体３２、集光レンズ２５によって得られた光情報を電気信号に変換するためのＣＣＤ等の固体撮像素子２６、固体撮像素子２６によって得られた画像情報等が入力される制御ユニット２７ならびに制御ユニット２７からの信号を光信号（レーザ光）に変換するレーザユニット２８を備えている。レーザユニット２８から出力されるレーザ光は、感光体ドラム１１に照射される。
【００１６】
第１光学系走行体３１および第２光学系走行体３２は、図示しないスキャンモータによって、左右方向に往復動される。第２光学系走行体３２は、第１光学系走行体３１の速度の１／２の速度で、第１光学系走行体３１の移動距離の１／２の距離を移動する。
【００１７】
制御ユニット２７には、固体撮像素子２６によって得られた画像情報の他、操作表示部等からの信号が入力される。制御ユニット２７は、複写機全体の制御を行う他、複写原稿に対する固体撮像素子２６の出力（画像情報）に基づいて画像形成を行うための信号を生成してレーザユニット２８に制御信号を出力する機能を備えている。
【００１８】
プリント機構は、感光体ドラム１１を備えている。感光体ドラム１１は、図示しないメインモータによって矢印の方向に回転駆動される。感光体ドラム１１の周囲には、その回転方向の順に、感光体ドラム１１の表面の感光層を帯電させる帯電器１２、感光層上に形成された静電潜像をトナー顕像として顕像化する現像装置１３、感光層上に形成されたトナー顕像を記録紙に転写する転写用放電器１４、感光体ドラム１１から記録紙を分離するための分離用放電器１５、転写後の感光体ドラム１１上に残留しているトナーを除去するクリーニング装置１６および感光体ドラム１１表面の電荷を除去する除電器１７が配されている。
【００１９】
記録紙搬送機構は、給紙カセット２、３、４の右側から手差トレイ５付近まで上方にのび、それから左側に屈曲して排紙トレイ６までのびた記録紙搬送路６１を備えている。手差しトレイ５の内側端付近には、手差しトレイ５上の記録紙を給紙して記録紙搬送路６１に搬送するための給紙ロ−ラ５１およびさばきローラ対５２が設けられている。記録紙搬送路６１の各給紙カセット２、３、４付近には、各給紙カセット内の記録紙を給紙して記録紙搬送路６１に搬送するための図示しない給紙ローラおよびさばきローラ対が設けられている。
【００２０】
また、記録紙搬送路６１の感光体ドラム１１の上流側には、記録紙を所定のタイミングで感光体ドラム１１に搬送するためのレジストローラ対５７が設けられている。さらに、記録紙搬送路６１の感光体ドラム１１と定着ローラ対５９との間には、感光体ドラム１１上に形成されたトナー顕像が転写されかつ感光体ドラム１１から剥離された記録紙を定着ローラ対５９まで搬送する搬送ベルト５８が設けられている。定着ローラ対５９によって定着処理が施された転写紙は、排出ローラ６０を介して排紙トレイ６上に送られる。なお、記録紙搬送路６１のレジストローラ対５７の上流側には、手差しトレイ５によって給紙が正常に行われたか否か、言い換えれば給紙不良が発生したか否かを判定するために用いられる記録紙検知器３０６が設けられている。
【００２１】
図２は、複写機に設けられかつ手差しトレイ５から給紙を行う場合に、手差しトレイ５を揺動させたり振動させたりするために必要な電気的構成を示している。
【００２２】
複写機は、複写機全体を制御するための制御ユニット２７を備えている。制御ユニット２７には、手差しトレイ５を揺動させるためのモータ３０２の駆動回路３０１が接続されているとともに振動デバイス３０４の駆動回路３０３が接続されている。また、制御ユニット２７には、記録紙検知器３０６が接続されている。
【００２３】
図３は、手差しトレイ５から給紙を行って複写ジョブを行う場合に、制御ユニット２７によって実行される給紙制御処理手順を示している。
【００２４】
手差しトレイ５上には、記録紙がセットされているものとする。また、複写設定において、手差しトレイ５からの給紙が選択されたものとする。
【００２５】
スタートキーが押されると（ステップＳ１）、変数Ｍを予め設定された初期値Ｍｏに設定（Ｍ＝Ｍｏ）する（ステップＳ２）。初期値Ｍｏは、例えば、５に設定される。また、駆動回路３０１を介してモータ３０２を制御することにより手差しトレイ５を揺動させる（手差しトレイ５を元の位置から所定角度だけ反時計方向に回転させた後、時計方向に回転させて元の位置に戻す）とともに、手差しトレイ５を揺動させている間、駆動回路３０３を介して振動デバイス３０４を駆動させることにより手差しトレイ５を振動させる（ステップＳ３）。
【００２６】
この後、所定のタイミングで、手差しトレイ５から１枚の記録紙を給紙するための給紙動作を行う（ステップＳ４）。つまり、給紙ローラ５１およびさばきローラ対５２を駆動させることにより、手差しトレイ５上の記録紙を１枚給紙する。そして、記録紙検知器３０６により、給紙不良が発生したか否かを判別する（ステップＳ５）。給紙不良が発生した場合には、ステップＳ３に戻り、再度、手差しトレイ５を揺動および振動させた後に、給紙動作を行う。なお、給紙不良が連続して複数回発生した場合には、ジャム表示をして複写処理を中止させるようにすることが好ましい。
【００２７】
上記ステップＳ５において、給紙不良が発生しなかったと判別した場合、つまり、正常に給紙が行われたと判別した場合には、今回の複写ジョブにおいて必要な枚数分の給紙が終了したか否かを判別する（ステップＳ６）。今回の複写ジョブにおいて必要な枚数分の給紙が終了してない場合には、給紙枚数が変数Ｍで示される枚数に達したか否かを判別する（ステップＳ７）。給紙枚数が変数Ｍで示される枚数に達していない場合には、ステップＳ４に戻る。この場合には、所定のタイミングで、給紙動作が行われる。
【００２８】
上記ステップＳ７において、給紙枚数が変数Ｍで示される枚数に達した場合には、変数ＭをＭ＋Ｍｏに更新した後（ステップＳ８）、ステップＳ３に戻る。この場合には、手差しトレイ５を揺動および振動させた後に、所定のタイミングで給紙動作が行われる。
【００２９】
上記ステップＳ６において、今回の複写ジョブにおいて必要な枚数分の給紙が終了したと判別した場合には、今回の給紙制御処理を終了する。
【００３０】
上記実施例では、手差しトレイ５から給紙を行って複写ジョブを行う場合には、複写ジョブ開始時に手差しトレイ５が揺動せしめられるとともに振動せしめられるので、給紙不良が発生しにくくなる。また、所定枚数分（たとえば、５枚分）の給紙が行われる度に、手差しトレイ５が揺動せしめられるとともに振動せしめられるので、給紙不良が発生しにくくなる。
【００３１】
上記実施例では、ステップＳ３において、手差しトレイ５を揺動させるとともに振動させているが、ステップ３において、揺動および振動のうち、いずれか一方のみ行うようにしてもよい。
【実施例２】
【００３２】
図４は、複写機の機構を示している。図４において、図１と同じものには、同じ符号を付してその説明を省略する。
【００３３】
この複写機１００Ａでは、手差しトレイ５Ａは、常時は図４に実線で示すように複写機本体内に倒立状態で収納されている。手差しトレイ５Ａが複写機本体内に収納されている場合の手差しトレイ５Ａの位置を収納位置ということにする。手差しトレイ５Ａを使用して給紙を行う場合には、ユーザは手動で手差しトレイ５Ａを下端部のピン７を中心として時計方向に回転させて、図４に破線で示すような傾倒状態に保持させる。手差しトレイ５Ａが傾倒状態に保持されている場合の手差トレイ５Ａの位置を使用位置ということにする。
【００３４】
この実施例では、使用状態にある手差しトレイ５Ａを収納位置まで自動的に回転させるための駆動機構が設けられている。この駆動機構はモータ４０２（図５参照）を含んでいる。また、トレイ５Ａには、トレイ５Ａ上に記録紙が存在しているか否かを判別するための記録紙検知器４０４が設けられている。なお、使用状態にある手差しトレイ５Ａを収納位置まで手動で回転させることも可能である。
【００３５】
図５は、複写機に設けられかつ手差しトレイ５Ａを自動的に閉鎖するために必要な電気的構成を示している。
【００３６】
複写機は、複写機全体を制御するための制御ユニット２７を備えている。制御ユニット２７には、使用状態にある手差しトレイ５Ａを収納位置まで自動的に回転させるためのモータ４０２の駆動回路４０１が接続されている。また、制御ユニット２７には、記録紙検知器４０４が接続されている。
【００３７】
図６は、手差しトレイ５から給紙を行って複写ジョブを行う場合に、複写機の制御ユニット２７によって実行される手差しトレイの閉鎖制御処理手順を示している。
【００３８】
手差しトレイ５Ａが手動で使用位置まで倒されており、手差しトレイ５Ａ上には記録紙がセットされているものとする。また、複写設定において、手差しトレイ５からの給紙が選択されたものとする。
【００３９】
スタートキーが押されることにより（ステップＳ１１）、複写処理が開始される（ステップＳ１２）。複写処理が開始されると、複写処理が終了するまで待機する（ステップＳ１３）。複写処理が終了すると、記録紙検知器４０４の検知信号に基づいて、手差しトレイ５Ａ上に記録紙が存在しているか否かを判別する（ステップＳ１４）。手差しトレイ５Ａ上に記録紙が存在していないと判別した場合には、駆動回路４０１を介してモータ４０２を駆動させることにより、手差しトレイ５Ａを収納位置まで移動させる（ステップＳ１５）。そして、今回の処理を終了する。
【００４０】
上記ステップＳ１４において、手差しトレイ５Ａ上に記録紙が存在していると判別した場合には、手差しトレイ５Ａを収納位置まで移動させることなく、そのまま、今回の処理を終了する。この場合には、ユーザは手差しトレイ５Ａ上の記録紙を取り除いた後に、手動で、手差しトレイ５Ａを収納位置まで移動させることになる。
【図面の簡単な説明】
【００４１】
【図１】複写機の機構を示す構成図である。
【図２】複写機に設けられかつ手差しトレイ５から給紙を行う場合に、手差しトレイ５を揺動させたり振動させたりするために必要な電気的構成を示すブロック図である。
【図３】手差しトレイ５から給紙を行って複写ジョブを行う場合に、制御ユニット２７によって実行される給紙制御処理手順を示すフローチャートである。
【図４】複写機の機構を示す構成図である。
【図５】複写機に設けられかつ手差しトレイ５Ａを自動的に閉鎖するために必要な電気的構成を示すブロック図である。
【図６】手差しトレイ５から給紙を行って複写ジョブを行う場合に、複写機の制御ユニット２７によって実行される手差しトレイの閉鎖制御処理手順を示すフローチャートである。
【符号の説明】
【００４２】
５、５Ａ  手差しトレイ
２７  制御ユニット
５１  給紙ローラ
５２  さばきローラ対
３０６、４０４  記録紙検知器
３０２、４０２  モータ
３０４  振動デバイス
【図１】
2006219259.tif 000003
【図２】
2006219259.tif 000004
【図３】
2006219259.tif 000005
【図４】
2006219259.tif 000006
【図５】
2006219259.tif 000007
【図６】
2006219259.tif 000008